(57)【要約】【課題】水槽への流入量が少ない場合でも発電を行い、水の有効利用ができる水力発電所の水槽水位調整装置を提供すること。【解決手段】水槽水位調整装置４１の調整部４１５は、水位取得部４１１により取得された水槽の水位が応水起動水位に達した場合に、一定時間にわたって、水車への水の供給量を発電機の最低出力値に対応する供給量に調整し、一定時間の経過後に監視部４１２により水槽の水位が上昇しなかったと判定された場合、水車への水の供給量を最低出力値に対応する供給量に維持し、一定時間の経過後に監視部４１２により水槽の水位が上昇したと判定された場合、流入量算出部４１４に水槽への水の流入量を算出させ、水車への水の供給量を当該流入量と等しくなるように調整する。【選択図】図３
2012057513.tif 000002
【特許請求の範囲】
【請求項１】
水力発電機の水車を駆動させる水を貯留する水槽の水位を調整する水槽水位調整装置であって、
前記水槽に設けられた水位計から、前記水槽の水位を取得する水位取得部と、
前記水位取得部により取得された前記水位の変動を監視する監視部と、
前記水槽に貯留された水の前記水車への供給量を調整する調整部と、
前記水位取得部により取得された前記水位の変動と、前記供給量とに基づいて、単位時間における前記水槽への水の流入量を算出する流入量算出部と、
を備え、
前記調整部は、
前記水車に水の供給を開始する場合に、一定時間にわたって、前記供給量を水力発電機の最低出力値に対応する供給量に調整し、
前記一定時間の経過後に前記監視部により前記水位が上昇しなかったと判定された場合、前記供給量を前記最低出力値に対応する供給量に維持し、
前記一定時間の経過後に前記監視部により前記水位が上昇したと判定された場合、前記流入量算出部に前記流入量を算出させ、前記供給量を当該流入量と等しくなるように調整する水槽水位調整装置。
【請求項２】
前記調整部は、前記水位取得部により取得された前記水位が応水起動水位に達した場合に、前記水車に水の供給を開始する請求項１に記載の水槽水位調整装置。
【請求項３】
前記調整部は、前記一定時間の経過後に前記監視部により前記水位が上昇しなかったと判定された場合、前記水位取得部により取得された前記水槽の水位が、応水停止水位以下であるか否かを判定し、前記応水停止水位以下ではない場合に、前記供給量を前記最低出力値に対応する供給量に維持し、前記応水停止水位以下の場合に、前記水車への水の供給を停止する請求項１又は２に記載の水槽水位調整装置。
【請求項４】
前記調整部は、前記一定時間の経過後に前記監視部により前記水位が上昇したと判定された場合、さらに一定時間の経過後に前記水槽の水位が安定したか否かを判定し、前記水槽の水位が安定しなかった場合に、前記流入量算出部に前記流入量を算出させ、前記供給量を当該流入量と等しくなるように再調整する請求項１から３のいずれかに記載の水槽水位調整装置。
【発明の詳細な説明】
【技術分野】
【０００１】
本発明は、水槽水位調整装置に関する。詳しくは、水力発電機の水車を駆動させる水を貯留する水槽の水位を調整する水槽水位調整装置に関する。
【背景技術】
【０００２】
流れ込み式水力発電所では、例えば渇水期等において、この水力発電所に設けられ、発電機に水を供給する水槽への水の流入量が、最低発電出力に対応する流入量よりも少ない流量である無負荷流量以下となる場合がある。このような状況において、従来の流れ込み式水力発電所では、発電を行わずに、水槽の水位が応水起動水位に達するまで水槽に水を貯留し、応水起動水位に達した場合に、水位が高いことによって最大出力で発電を行う。よって、従来の流れ込み式水力発電所では、応水起動水位に達した場合に最大出力で発電を行うことから、短時間で水槽の水位が応水停止水位となってしまい、効率的な発電をすることができなかった。
【０００３】
このような問題に対応するために、特許文献１では、発電開始時の目標出力値を低く設定して、発電機を継続的に運転させるとともに、水槽への流入量が無負荷流量以下である場合に、発電機の起動を停止する方法が提案されている。
【先行技術文献】
【特許文献】
【０００４】
【特許文献１】特開平９−１４４６４５号公報
【発明の概要】
【発明が解決しようとする課題】
【０００５】
しかしながら、特許文献１に記載された方法では、応水起動水位に達しても、水槽への流入量が無負荷流量以下である場合、発電機の起動を行わないため、水槽から越流してしまい、水の有効利用が図れない場合があった。例えば、渇水期には、水槽への水の流入量が少ないため、水槽への流入量が無負荷流量以下となる状態が長期間にわたって続き、特許文献１に記載された方法では、当該期間中に水の有効利用が図れないおそれがある。
【０００６】
本発明は、水槽への流入量が少ない場合でも発電を行い、水の有効利用ができる水力発電所の水槽水位調整装置を提供することを目的とする。
【課題を解決するための手段】
【０００７】
本発明に係る水槽水位調整装置は、水力発電機の水車を駆動させる水を貯留する水槽の水位を調整する水槽水位調整装置であって、前記水槽に設けられた水位計から、前記水槽の水位を取得する水位取得部と、前記水位取得部により取得された前記水位の変動を監視する監視部と、前記水槽に貯留された水の前記水車への供給量を調整する調整部と、前記水位取得部により取得された前記水位の変動と、前記供給量とに基づいて、単位時間における前記水槽への水の流入量を算出する流入量算出部と、を備え、前記調整部は、前記水車に水の供給を開始する場合に、一定時間にわたって、前記供給量を水力発電機の最低出力値に対応する供給量に調整し、前記一定時間の経過後に前記監視部により前記水位が上昇しなかったと判定された場合、前記供給量を前記最低出力値に対応する供給量に維持し、前記一定時間の経過後に前記監視部により前記水位が上昇したと判定された場合、前記流入量算出部に前記流入量を算出させ、前記供給量を当該流入量と等しくなるように調整する。
【０００８】
また、前記調整部は、前記水位取得部により取得された前記水位が応水起動水位に達した場合に、前記水車に水の供給を開始することが好ましい。
【０００９】
また、前記調整部は、前記一定時間の経過後に前記監視部により前記水位が上昇しなかったと判定された場合、前記水位取得部により取得された前記水槽の水位が、応水停止水位以下であるか否かを判定し、前記応水停止水位以下ではない場合に、前記供給量を前記最低出力値に対応する供給量に維持し、前記応水停止水位以下の場合に、前記水車への水の供給を停止することが好ましい。
【００１０】
また、前記調整部は、前記一定時間の経過後に前記監視部により前記水位が上昇したと判定された場合、さらに一定時間の経過後に前記水槽の水位が安定したか否かを判定し、前記水槽の水位が安定しなかった場合に、前記流入量算出部に前記流入量を算出させ、前記供給量を当該流入量と等しくなるように再調整することが好ましい。
【発明の効果】
【００１１】
本発明によれば、水槽への流入量が少ない場合でも発電を行い、水の有効利用ができる。
【図面の簡単な説明】
【００１２】
【図１】本実施形態に係る水槽水位調整装置が適用された水力発電システムの概念図である。
【図２】本実施形態に係る水槽部分の平面図である。
【図３】本実施形態に係る水槽水位調整装置の機能構成を示すブロック図である。
【図４】本実施形態に係る水槽水位調整装置による渇水時水位調整制御処理の流れを示すフローチャートである。
【図５】本実施形態に係る水槽水位調整装置により水槽の水位調整を行った場合の水位の変動及び発電機出力を示す図（その１）である。
【図６】本実施形態に係る水槽水位調整装置により水槽の水位調整を行った場合の水位の変動及び発電機出力を示す図（その２）である。
【図７】従来の水槽水位調整装置により水槽の水位調整を行った場合の水位の変動及び発電機出力を示す図である。
【発明を実施するための形態】
【００１３】
以下、本実施形態について図を参照しながら説明する。
図１は、本実施形態に係る水槽水位調整装置４１が適用された水力発電システム１の概念図である。図２は、本実施形態に係る水槽部分の平面図である。
【００１４】
水力発電システム１は、河川等から取水を行う取水機構２と、取水機構２により取水された水により発電を行う発電機構３と、取水機構２及び発電機構３を制御する制御機構４を備える。
【００１５】
取水機構２は、水槽２１と、越流堤２２と、余水路２３と、水位計２４と、制水門２５と、スクリーン２６と、圧力鉄管２７と、ガイドベーン２８と、開度センサ２９と、を備える。
【００１６】
水槽２１は、河川等から誘導された水を、発電に使用するために貯留する。この水槽２１には、越流堤２２と、水位計２４と、制水門２５と、スクリーン２６と、が設けられている。
【００１７】
越流堤２２は、水槽２１と余水路２３との間に設けられており、水槽２１に過剰に流入した水を、この水槽２１から越流させて、余水路２３に供給する。余水路２３は、越流堤２２に隣接しており、この越流堤２２から供給された水を河川等に誘導する。
【００１８】
水位計２４は、水槽２１の水位を測定し、測定した水位を制御機構４の水槽水位調整装置４１に出力する。
制水門２５は、水槽２１の下流側に設けられており、作業等により圧力鉄管２７、水車３１等への水の供給が不要である場合に、圧力鉄管２７、水車３１等への水の供給を遮断する。
スクリーン２６は、制水門２５より上流側に設けられており、流木、礫といった塵を取り除く。
【００１９】
圧力鉄管２７は、制水門２５に接続されている。また、圧力鉄管２７には、制水門２５と反対側に、ガイドベーン２８が設けられている。圧力鉄管２７は、制水門２５を介して水槽２１から供給された水を、ガイドベーン２８を介して、発電機構３の水車３１に供給する。
ガイドベーン２８は、後述の制御機構４による制御により開閉され、圧力鉄管２７から発電機構３の水車３１に供給される水量を調整する。
開度センサ２９は、ガイドベーン２８の開度を計測し、計測された開度を制御機構４の水槽水位調整装置４１に出力する。
【００２０】
発電機構３は、水車３１と、発電機３２と、を備える。
水車３１は、水車軸３１１を備えており、この水車軸３１１により、発電機３２に接続されている。この水車３１は、圧力鉄管２７及びガイドベーン２８を介して水槽２１から供給された水によって駆動し、水車軸３１１を介して発電機３２を駆動させる。
【００２１】
発電機３２は、タービン（図示省略）を備えており、このタービンが水車３１の水車軸３１１により駆動されることによって発電を行う。この発電機３２は、この発電機３２により発電した電力量、すなわち、出力値を、図示しない有効電力変換器を介して、制御機構４の水槽水位調整装置４１に出力する。
【００２２】
制御機構４は、水槽水位調整装置４１と、調速機制御装置４２と、油圧サーボモータ４３と、を備える。
【００２３】
水槽水位調整装置４１は、開度センサ２９より供給されるガイドベーン２８の開度に基づいて水槽２１への水の流入量を算出するとともに、水位計２４から出力された水槽２１の水位に基づいて、水車３１へ供給される水の供給量を演算し、ガイドベーン２８の開閉信号として、調速機制御装置４２に出力する。
【００２４】
図３を参照しながら、水槽水位調整装置４１の機能構成について説明する。
図３は、本実施形態に係る水槽水位調整装置４１の機能構成を示すブロック図である。
【００２５】
水槽水位調整装置４１は、ＣＰＵ等により構成される制御部を備えている。この制御部は、水位取得部４１１と、監視部４１２と、出力値取得部４１３と、流入量算出部４１４と、調整部４１５と、を備える。
【００２６】
水位取得部４１１は、水槽２１に設けられた水位計２４から、この水槽２１の水位を取得する。具体的には、水位計２４は、水槽水位調整装置４１に対して、水槽２１の水位を逐次出力しており、水位取得部４１１は、水位計２４から出力された水槽２１の水位を取得する。
【００２７】
監視部４１２は、水位取得部４１１により取得された水槽２１の水位の変動を監視する。具体的には、監視部４１２は、水位取得部４１１により取得された水槽２１の水位の変動を監視し、水槽２１の水位が上昇したか否かを判定する。
出力値取得部４１３は、発電機３２の出力値を取得する。
【００２８】
流入量算出部４１４は、水位取得部４１１により取得された水槽２１の水位の変動と、水槽２１に貯留された水の水車３１への供給量とに基づいて、単位時間における水槽２１への水の流入量を算出する。より具体的には、水位取得部４１１により取得された水槽２１の水位の変動と水槽２１の面積に基づいて、水槽２１の単位時間における水の変化量を算出し、この変化量と、水車３１への供給量を合計することにより、単位時間における水槽２１への水の流入量を算出する。
【００２９】
調整部４１５は、水槽２１に貯留された水の水車３１への供給量を調整する。
具体的には、調整部４１５は、通常時水位調整制御処理と、渇水時水位調整制御処理と、を行う。
【００３０】
調整部４１５は、通常時水位調整制御処理として、以下の処理を行う。すなわち、調整部４１５は、流入量算出部４１４により算出された単位時間における水槽２１への水の流入量と、水車３１への水の供給量と、出力値取得部４１３により取得された出力値に基づいて、発電機３２の最大出力値に対応する供給量以下の範囲で、この供給量が流入量と等しくなるように、供給量を調整する。
【００３１】
また、調整部４１５は、渇水時水位調整制御処理として、以下の処理を行う。すなわち、調整部４１５は、水位取得部４１１により取得された水槽２１の水位が、発電を開始する基準となる水位である応水起動水位に達した場合に、一定時間にわたって、水車３１への水の供給量を発電機３２の最低出力値に対応する供給量に調整するとともに、監視部４１２に水槽２１の水位を監視させる。
【００３２】
また、調整部４１５は、一定時間経過後に、監視部４１２による監視結果に基づいて、水槽２１の水位が上昇したか否かを判定する。
【００３３】
調整部４１５は、一定時間経過後に、監視部４１２により水槽２１の水位が上昇したと判定された場合、流入量算出部４１４により算出された単位時間における水槽２１への水の流入量に基づいて、水車３１への水の供給量がこの流入量と等しくなるように、水車３１への水の供給量を調整する。続いて、調整部４１５は、一定時間経過後に、監視部４１２により水槽２１の水位が安定したか否か、すなわち、水位の変動が所定値（例えば、数十センチメートル）以内であるか否かを判定する。調整部４１５は、一定時間経過後に、監視部４１２により水槽２１の水位が安定したと判定した場合には、渇水時水位調整制御処理から、通常時水位調整制御処理に運転の切り換えを行う。また、調整部４１５は、監視部４１２により水槽２１の水位が安定しなかったと判定した場合、水車３１への水の供給量が最低出力値に対応する供給量以上のときに、水槽２１への水の流入量と等しくなるように、水車３１への水の供給量を調整する。また、水車３１への水の供給量が最低出力値に対応する供給量未満のときには、調整部４１５は、水車３１への水の供給量を最低出力値に対応する供給量に調整する。
【００３４】
調整部４１５は、一定時間経過後に、監視部４１２により水槽２１の水位が上昇しなかったと判定された場合、水位取得部４１１により取得された水槽２１の水位が、発電を停止する基準となる水位である応水停止水位以下であるか否かを判定する。続いて、調整部４１５は、水槽２１の水位が応水停止水位以下である場合には、水車３１への水の供給を停止し、水槽２１の水位が応水停止水位以下ではない場合には、再び一定時間にわたって、水車３１への水の供給量を最低出力値に対応する供給量に維持し、再度、監視部４１２により水槽２１の水位が上昇したか否かを判定する。
【００３５】
なお、調整部４１５は、調整された供給量に対応するガイドベーン２８の開度を算出し、この開度に応じた開閉信号を生成して、この開閉信号を調速機制御装置４２に出力する。
【００３６】
図１に戻り、調速機制御装置４２は、水槽水位調整装置４１から出力されたガイドベーン２８の開閉信号を油圧信号に変換し、この油圧信号を油圧サーボモータ４３に出力する。
油圧サーボモータ４３は、調速機制御装置４２から出力された油圧信号に応じて駆動し、ガイドベーン２８の開度を調整する。
【００３７】
続いて、水槽水位調整装置４１による水槽２１の水位を調整する処理の流れについて説明する。
図４は、本実施形態に係る水槽水位調整装置４１による渇水時水位調整制御処理の流れを示すフローチャートである。
【００３８】
ステップＳ１において、水槽水位調整装置４１の制御部（調整部４１５）は、水槽２１の水位が応水起動水位以上か否かを判定する。水槽水位調整装置４１の制御部（調整部４１５）は、この判定がＹＥＳの場合、処理をステップＳ２に移し、この判定がＮＯの場合、ステップＳ１の処理を再実行する。
【００３９】
ステップＳ２において、水槽水位調整装置４１の制御部（調整部４１５）は、水車３１への供給量を、発電機３２の最低出力値に対応する供給量に調整する。水槽水位調整装置４１の制御部（調整部４１５）は、調整した供給量に基づいてガイドベーン２８の開度を算出し、この開度に応じた開閉信号を生成して、この開閉信号を調速機制御装置４２に出力する。
ステップＳ３において、水槽水位調整装置４１の制御部（調整部４１５）は、監視部４１２に、一定時間にわたって水位を監視させる。
【００４０】
ステップＳ４において、水槽水位調整装置４１の制御部（調整部４１５）は、監視部４１２による監視結果に基づいて、水槽２１の水位が上昇したか否かを判定する。水槽水位調整装置４１の制御部（調整部４１５）は、この判定がＹＥＳの場合、処理をステップＳ５に移し、この判定がＮＯの場合、処理をステップＳ９に移す。
【００４１】
ステップＳ５において、水槽水位調整装置４１の制御部（調整部４１５）は、流入量算出部４１４に単位時間における水槽２１への水の流入量を算出させる。
ステップＳ６において、水槽水位調整装置４１の制御部（調整部４１５）は、流入量算出部４１４により算出された単位時間における水槽２１への水の流入量に基づいて、水車３１への水の供給量がこの流入量と等しくなるように、供給量を調整する。水槽水位調整装置４１の制御部（調整部４１５）は、調整した供給量に基づいてガイドベーン２８の開度を算出し、この開度に応じた開閉信号を生成して、この開閉信号を調速機制御装置４２に出力する。
【００４２】
ステップＳ７において、水槽水位調整装置４１の制御部（調整部４１５）は、ステップＳ６における調整から一定時間経過後に、監視部４１２により水位を監視させて、水槽２１の水位が安定したか否か、すなわち、水位の変動が所定値以内であるか否かを判定する。水槽水位調整装置４１の制御部（調整部４１５）は、この判定がＹＥＳの場合、処理をステップＳ８に移し、この判定がＮＯの場合、処理をステップＳ５に移す。
【００４３】
ステップＳ８において、水槽水位調整装置４１の制御部（調整部４１５）は、一定時間経過後に、監視部４１２により水槽２１の水位が安定した場合には、渇水時水位調整制御処理から、通常時水位調整制御処理に運転の切り換えを行う。この処理が終了すると、制御部は、渇水時水位調整制御処理を終了する。
【００４４】
ステップＳ９において、水槽水位調整装置４１の制御部（調整部４１５）は、水位取得部４１１により取得された水槽２１の水位が、応水停止水位以下であるか否かを判定する。水槽水位調整装置４１の制御部（調整部４１５）は、この判定がＹＥＳの場合、処理をステップＳ１０に移し、この判定がＮＯの場合、処理をステップＳ３に移す。
【００４５】
ステップＳ１０において、水槽水位調整装置４１の制御部（調整部４１５）は、水車３１への水の供給を停止する。その後、水槽水位調整装置４１の制御部（調整部４１５）は、処理をステップＳ１に移す。
【００４６】
続いて、渇水期における、本実施形態の水槽水位調整装置４１により水位調整を行った場合の水位の変動と、従来の水槽水位調整装置により水位調整を行った場合の水位の変動との比較を行う。
【００４７】
図５及び図６は、本実施形態に係る水槽水位調整装置４１により水槽２１の水位調整を行った場合の水位の変動及び発電機出力を示す図である。具体的には、図５は、水槽２１への流入量が最低出力に対応する流入量に比べて多い場合の水位の変動及び発電機出力を示す図である。また、図６は、水槽２１への流入量が最低出力に対応する流入量に比べて少ない場合の水位の変動及び発電機出力を示す図である。図７は、従来の水槽水位調整装置により水槽２１の水位調整を行った場合の水位の変動及び発電機出力を示す図である。
【００４８】
以下に、本実施形態に係る水槽水位調整装置４１により水位調整を行った場合、及び従来の水槽水位調整装置により水位調整を行った場合に、時刻ｔ０において応水起動水位に達したものとして説明を行う。
【００４９】
従来の水槽水位調整装置は、時刻ｔ０において水槽２１の水位が応水起動水位に達すると、水槽２１の水位が高いことから、図７に示すように、最大出力により発電を行うように水車３１への水の供給量を調整する。渇水期では、水槽２１への水の流入量が少ないことから、水槽２１の水位が急激に低下し、比較的短時間で応水停止水位に達してしまう。そして、従来の水槽水位調整装置は、時刻ｔ１１において水車３１への水の供給を停止して、発電を停止する。
【００５０】
これに対して、本実施形態に係る水槽水位調整装置４１では、時刻ｔ０において応水起動水位に達すると、最低出力により発電を行うように水車３１への水の供給量を調整する。このため、従来の水槽水位調整装置による水位の低下に比べて、緩やかに水位が低下する。
【００５１】
図５では、時刻ｔ２１に水槽２１への流入量が最低出力に対応する流入量に比べて多くなり、水槽２１の水位が上昇する。そして、時刻ｔ２１から一定時間が経過し、時刻ｔ２２になると、水槽水位調整装置４１は、水槽２１への流入量と、水車３１への供給量が等しくなるように水位の調整を行い、結果として、時刻ｔ２３に水槽２１の水位が安定する。すると、水槽水位調整装置４１は、渇水時水位調整制御処理から通常時水位調整制御処理に切り換えを行う。
【００５２】
また、図６では、水槽２１への流入量が最低出力に対応する流入量に比べて少ないので、水槽２１の水位が徐々に低下し、時刻ｔ３１において、水槽２１の水位が応水停止水位に達する。その後、水槽水位調整装置４１は、水車３１への水の供給を停止して、発電を停止する。ここで、時刻ｔ３１は、従来の水槽水位調整装置により水位調整を行った場合に発電を停止した時刻ｔ１１に比べて十分に大きいものとなり、従来の水槽水位調整装置に比べて、継続的に発電機３２による発電を行うことができる。
【００５３】
以上のように、本実施形態によれば、水槽水位調整装置４１の調整部４１５は、水車３１に水の供給を開始する場合に、一定時間にわたって、水車３１への水の供給量を発電機３２の最低出力値に対応する供給量に調整し、一定時間の経過後に監視部４１２により水槽２１の水位が上昇しなかったと判定された場合、水車３１への水の供給量を最低出力値に対応する供給量に維持する。
よって、水槽２１への水の流入量が発電機３２の最低出力値に対応する流入量以下であっても、水車３１への水の供給量を発電機３２の最低出力値に対応する供給量に調整する。このため、従来の水槽水位調整装置による水位調整のように、水槽２１の水位が急激に低下せずに、発電機３２による発電を長時間にわたって行うことができる。よって、水槽水位調整装置４１は、水槽２１への流入量が少ない場合でも発電機３２による発電を行い、水の有効利用ができる。
【００５４】
また、本実施形態によれば、水槽水位調整装置４１の調整部４１５は、水車３１に水の供給を開始する場合に、一定時間にわたって、水車３１への水の供給量を発電機３２の最低出力値に対応する供給量に調整し、一定時間の経過後に監視部４１２により水槽２１の水位が上昇したと判定された場合、流入量算出部４１４に水槽２１への水の流入量を算出させ、水車３１への水の供給量を当該流入量と等しくなるように調整する。
よって、水槽水位調整装置４１は、水槽２１への水の流入量が発電機３２の最低出力値に対応する供給量以上である場合であっても、水車３１への水の供給量を、この流入量に対応させることにより、水槽２１からの越流を防止して、発電を継続させることができるので、効率的に発電を行うことができる。
【００５５】
また、本実施形態によれば、水槽水位調整装置４１の調整部４１５は、水位取得部４１１により取得された水槽２１の水位が応水起動水位に達した場合に、水車３１に水の供給を開始する。
よって、水槽水位調整装置４１は、応水起動水位という水槽２１の水位が高水位となっている状態から、発電機３２の最低出力値に対応させて、水車３１に水を供給するので、水の落差を利用しつつ、長期間にわたって発電を継続させることができる。
【００５６】
また、本実施形態によれば、水槽水位調整装置４１の調整部４１５は、一定時間の経過後に監視部４１２により水槽２１の水位が上昇しなかったと判定された場合、水位取得部４１１により取得された水槽２１の水位が、応水停止水位以下であるか否かを判定し、応水停止水位以下ではない場合に、供給量を最低出力値に対応する供給量に維持し、応水停止水位以下の場合に、水車への水の供給を停止する。
よって、水槽水位調整装置４１は、応水停止水位以下となるまで、水車３１への水の供給量を最低出力値に対応する供給量に維持することができるので、より長期的に発電を継続させることができる。
【００５７】
また、本実施形態によれば、水槽水位調整装置４１の調整部４１５は、一定時間の経過後に監視部４１２により水位が上昇したと判定された場合、さらに一定時間の経過後に水槽２１の水位が安定したか否かを判定し、水槽２１の水位が安定しなかった場合に、流入量算出部４１４に流入量を算出させ、水車３１への水の供給量を当該流入量と等しくなるように再調整する。
よって、水槽２１への水の流入量の変動に対応して、水車３１への水の供給量を調整するので、水槽２１への水の流入量が変動した場合であっても越流を防止し、効率的に水を利用して発電を行うことができる。
【００５８】
以上、本発明の実施形態について説明したが、本発明は本実施形態に限定されるものではなく、本発明の目的を達成できる範囲での変形、改良等は本発明に含まれるものである。
【符号の説明】
【００５９】
１  水力発電システム
２１  水槽
２４  水位計
３１  水車
３２  発電機
４１  水槽水位調整装置
４１１  水位取得部
４１２  監視部
４１３  出力値取得部
４１４  流入量算出部
４１５  調整部
【図１】
2012057513.tif 000003
【図２】
2012057513.tif 000004
【図３】
2012057513.tif 000005
【図４】
2012057513.tif 000006
【図５】
2012057513.tif 000007
【図６】
2012057513.tif 000008
【図７】
2012057513.tif 000009